(57)【要約】【課題】  蓋閉じ時にヒンジが外へ飛び出さない様なコンパクトな収納ケースを提供する。【解決手段】  プラスチック製収納ケース1は、ケース本体3、ケース蓋体5、及びケース本体3にケース蓋体5を回転自在に接続するヒンジ7を一体に射出成形したもので、ケース本体3は底部11と本体側壁部13とを備え、ケース蓋体5は本体側壁部13に対して外嵌する蓋体側壁部21と天板部23とを備え、ヒンジ7は底部11の張出部15のエッジと蓋体側壁部21のエッジとを連結する様に形成されている。ヒンジ7と接する張出部15のエッジ上面及び蓋体側壁部21のエッジ内面が、それぞれ４５度の角度で断面三角形状に面取りされている。また、ヒンジ7は、張出部15および蓋体側壁部21の面取り部分を、蓋閉じ時の内面側からそれぞれの半ばの位置で連結する薄肉帯状に形成されている。金型的には、ケース本体に対してケース蓋体が斜めにずれた位置関係となる様なキャビティを有する。【選択図】  図２
2005239197.tif 000002
【特許請求の範囲】
【請求項１】
物品を収納するケース本体と、該ケース本体を閉塞するケース蓋体と、前記ケース本体に前記ケース蓋体を回転自在に接続する薄肉状のヒンジとを一体に射出成形したものであって、以下の構成を有することを特徴とするプラスチック製収納ケース。
（１−１）  前記ケース本体が、底部と、該底部から垂直に伸びる本体側壁部とを備えたものとして構成されていること。
（１−２）  前記ケース蓋体が、前記ケース本体の本体側壁部に対して外嵌する蓋体側壁部と、該蓋体側壁部の一端を塞ぐ天板部とを備えたものとして構成されていること。
（１−３）  前記底部が本体側壁部よりも外に張り出す張出部を備え、前記ヒンジが該張出部のエッジと前記蓋体側壁部のエッジとを連結する様に形成されていること。
（１−４）  前記ヒンジと接する前記張出部のエッジ上面及び前記蓋体側壁部のエッジ内面が、それぞれ断面三角形状に面取りされていること。
（１−５）  前記面取り部分は、９０度に対して補角的関係を有すること。
【請求項２】
さらに以下の構成をも備えることを特徴とする請求項１記載のプラスチック製収納ケース。
（１−６）  前記ヒンジは、前記張出部および前記蓋体側壁部の面取り部分を、蓋閉じ時の内面側からそれぞれの半ばの位置で連結する薄肉帯状に形成されていること。
（１−７）  前記底部の底面の延長線と前記蓋体側壁部の外面の延長線とが、前記ヒンジの表面で交差する様に構成されていること。
【請求項３】
以下の構成からなるキャビティを備えることを特徴とする射出成形用金型。
（２−１）  底部形成空間と、該底部形成空間から垂直に伸びる本体側壁部形成空間とを有する本体形成用キャビティを備えていること。
（２−２）  天板部形成空間と、該天板部形成空間から垂直に伸びる蓋体側壁部形成空間とを有する蓋体形成用キャビティを備えていること。
（２−３）  前記蓋体側壁部形成空間は、前記本体側壁部形成空間に対して外嵌する側壁部を成形する様に構成されていること。
（２−４）  前記蓋体形成用キャビティは、前記天板部形成空間が前記本体側壁部形成空間よりも外となり、かつ、前記蓋体側壁部形成空間の開口側エッジが前記底部形成空間よりもさらに底側となる様に、前記本体形成用キャビティに対して全体として斜めにずれて位置する形成されていること。
（２−５）  前記底部形成空間と前記蓋体側壁部形成空間とを連結するヒンジ形成用キャビティを備えていること。
【請求項４】
以下の構成からなるキャビティを備えることを特徴とする射出成形用金型。
（３−１）  底部形成空間と、該底部形成空間から垂直に伸びる本体側壁部形成空間とを有する本体形成用キャビティを備えていること。
（３−２）  天板部形成空間と、該天板部形成空間から垂直に伸びる蓋体側壁部形成空間とを有する蓋体形成用キャビティを備えていること。
（３−３）  前記蓋体側壁部形成空間は、前記本体側壁部形成空間に対して外嵌する側壁部を成形する様に構成されていること。
（３−４）  前記蓋体形成用キャビティは、前記天板部形成空間が前記本体側壁部形成空間よりも外となり、かつ、前記蓋体側壁部形成空間の開口側エッジが前記底部形成空間よりもさらに底側となる様に、前記本体形成用キャビティに対して全体として斜めにずれて位置する形成されていること。
（３−５）  前記底部形成空間は、前記本体側壁部形成空間よりも外に張り出す張出部形成空間を備えていること。
（３−６）  前記張出部形成空間のエッジの内の前記蓋体側壁部形成空間に最も近いエッジと、該エッジに最も近い前記蓋体側壁部形成空間の開口側エッジとを連結するヒンジ形成用キャビティを備えていること。
（３−７）  前記ヒンジ形成用キャビティと接する前記張出部形成空間のエッジ上面及び前記蓋体側壁部形成空間のエッジ内面が、それぞれ断面三角形状に面取りされていること。
（３−８）  前記面取り部分は、９０度に対して補角的関係を有すること。
【請求項５】
さらに以下の構成をも備えることを特徴とする射出成形用金型。
（３−９）  前記ヒンジ形成用キャビティは、前記底部形成空間および前記蓋体側壁部形成空間の面取り部分を、それぞれの面取り面側から半ばの位置で連結する薄肉帯状空間として形成されていること。
（３−１０）  前記底部形成空間の底面の延長線と前記蓋体側壁部形成空間の外面の延長線とが、前記ヒンジ形成用キャビティの表面で交差する様に構成されていること。
【発明の詳細な説明】
【技術分野】
【０００１】
本発明は、ケース本体とケース蓋体とをヒンジで接続一体化したプラスチック製の収納ケースに関する。
【背景技術】
【０００２】
従来より、図８（Ａ）に示す様に、ケース本体１０２とケース蓋体１０４とをヒンジ１１１で接続一体化したプラスチック製収納ケース１０１が知られている（特許文献１）。
【０００３】
特許文献１に記載された収納ケース１０１は、ヒンジ１１１の両端１１１Ａの肉厚Ｔ２を厚くし、中央部１１１Ｂの肉厚Ｔ３を薄くすることにより、ヒンジ１１１を中央部で柔軟に折れ曲がり易くしたものである。これにより、特許文献１に記載された収納ケース１０１は、図８（Ｂ）に示す様に、ケース蓋体１０４がケース本体１０２にぴったりと確実に閉まるようになり、密封性が高いという効果を発揮する。
【特許文献１】特開平５−５１０４３号公報（段落０００８，０００９，図１）
【発明の開示】
【発明が解決しようとする課題】
【０００４】
しかしながら、特許文献１に記載された収納ケース１０１では、図８（Ｂ）から明らかな様に、ケース蓋体１０４を閉じたときに、ヒンジ１１１が、ケース本体１０２の外面よりも外へ飛び出した状態となるため、ケースを保管等する際にスペースを取るという問題がある。
【０００５】
そこで、本発明は、蓋を閉じたときにヒンジが外へ飛び出さない様なコンパクトな収納ケースを提供することを目的とする。
【課題を解決するための手段】
【０００６】
上記目的を達成するためになされた本発明は、物品を収納するケース本体と、該ケース本体を閉塞するケース蓋体と、前記ケース本体に前記ケース蓋体を回転自在に接続する薄肉状のヒンジとを一体に射出成形したものであって、以下の構成を有することを特徴とするプラスチック製収納ケースにある。
（１−１）  前記ケース本体が、底部と、該底部から垂直に伸びる本体側壁部とを備えたものとして構成されていること。
（１−２）  前記ケース蓋体が、前記ケース本体の本体側壁部に対して外嵌する蓋体側壁部と、該蓋体側壁部の一端を塞ぐ天板部とを備えたものとして構成されていること。
（１−３）  前記底部が本体側壁部よりも外に張り出す張出部を備え、前記ヒンジが該張出部のエッジと前記蓋体側壁部のエッジとを連結する様に形成されていること。
（１−４）  前記ヒンジと接する前記張出部のエッジ上面及び前記蓋体側壁部のエッジ内面が、それぞれ断面三角形状に面取りされていること。
（１−５）  前記面取り部分は、９０度に対して補角的関係を有すること。
【０００７】
上記（１−５）の構成における「９０度に対して補角的関係を有する」とは、「補角＝二角の和が互いに二直角である時、二つの角は互いに補角をなすという。（広辞苑第４版２３５１頁３段目）」と類似する関係を意味し、一方が４５度であれば他方が４５度、一方が６０度であれば他方が３０度といった関係を意味する。また、二角の和が厳密に９０度でなくてもよく、ほぼ９０度となるように、例えば約４５度と約４５度といった関係も含む。なお、本発明において、「前記面取り部分は、いずれもほぼ４５度となっていること。」が、金型設計や耐久性等の観点から最も望ましい。
【０００８】
上記構成を有する本発明のプラスチック製収納ケースによれば、ケース蓋体を閉じたとき、張出部エッジと蓋体側壁部エッジの面取り部分同士が重なってケース本体の底部とケース蓋体の側壁部とが９０度をなす。このとき、より望ましくは、「前記ヒンジは、前記張出部のエッジと前記蓋体側壁部のエッジとを蓋閉じ時の内面側から連結する様に薄肉帯状に形成されていること。」である。この様に構成することで、ヒンジが外に飛び出すということがない。なお、ヒンジが蓋閉じ時の外面側から連結する様に薄肉帯状構成されていても、構わない。なぜなら、ヒンジは、蓋閉じ時に伸ばされることから、外に大きく飛び出すということはないからである。ヒンジを蓋閉じ時の内面側から連結する様に構成する方がよいのは、この若干の飛び出しもなくすことができるからである。
【０００９】
ここで、本発明のプラスチック製収納ケースは、さらに以下の構成をも備える様にするとよい。
（１−６）  前記ヒンジは、前記張出部および前記蓋体側壁部の面取り部分を、蓋閉じ時の内面側からそれぞれの半ばの位置で連結する薄肉帯状に形成されていること。
（１−７）  前記底部の底面の延長線と前記蓋体側壁部の外面の延長線とが、前記ヒンジの表面で交差する様に構成されていること。
【００１０】
前述の様に、ヒンジは、面取り部分を蓋閉じ時の内面側から連結する様に構成することが望ましい。この場合、ヒンジが面取り部分の半ばの位置から連結する様にしておくことで、蓋閉じ時に曲げにより圧縮変形されたヒンジの肉が逃げる空間が形成されることから、ヒンジの飛び出しをほぼ完全に防止することができる。ここで、ヒンジは、断面台形状にしておくと、射出成形時の成形性や脱型性等に有利である。
【００１１】
また、上述の様に優れた作用効果を発揮する本発明のプラスチック製収納ケースの製造に適する射出成形金型は、以下の構成からなるキャビティを備えることを特徴とする。
（２−１）  底部形成空間と、該底部形成空間から垂直に伸びる本体側壁部形成空間とを有する本体形成用キャビティを備えていること。
（２−２）  天板部形成空間と、該天板部形成空間から垂直に伸びる蓋体側壁部形成空間とを有する蓋体形成用キャビティを備えていること。
（２−３）  前記蓋体側壁部形成空間は、前記本体側壁部形成空間に対して外嵌する側壁部を成形する様に構成されていること。
（２−４）  前記蓋体形成用キャビティは、前記天板部形成空間が前記本体側壁部形成空間よりも外となり、かつ、前記蓋体側壁部形成空間の開口側エッジが前記底部形成空間よりもさらに底側となる様に、前記本体形成用キャビティに対して全体として斜めにずれて位置する形成されていること。
（２−５）  前記底部形成空間と前記蓋体側壁部形成空間とを連結するヒンジ形成用キャビティを備えていること。
【００１２】
従来の金型１２１は、例えば図９に示す様に、ケース本体形成用キャビティ１２２と蓋体形成用キャビティ１２４が、その開口側エッジを同一にして横に並び、この開口側エッジ同士を連結するヒンジ形成用キャビティ１２６を備えた構成である。これに対し、本発明の射出成形用金型は、ケース本体形成用キャビティに対して、ケース蓋体形成用キャビティが全体として斜めにずれて配置されている。この結果、ヒンジ形成用キャビティは、底部形成空間と蓋体側壁部形成空間とを連結する様に構成することができ、上述した様な優れた作用効果を奏するプラスチック製収納ケースを製造することができる。
【００１３】
なお、より具体的には、本発明の射出成型用金型は、以下の構成からなるキャビティを備える様にするとよい。
（３−１）  底部形成空間と、該底部形成空間から垂直に伸びる本体側壁部形成空間とを有する本体形成用キャビティを備えていること。
（３−２）  天板部形成空間と、該天板部形成空間から垂直に伸びる蓋体側壁部形成空間とを有する蓋体形成用キャビティを備えていること。
（３−３）  前記蓋体側壁部形成空間は、前記本体側壁部形成空間に対して外嵌する側壁部を成形する様に構成されていること。
（３−４）  前記蓋体形成用キャビティは、前記天板部形成空間が前記本体側壁部形成空間よりも外となり、かつ、前記蓋体側壁部形成空間の開口側エッジが前記底部形成空間よりもさらに底側となる様に、前記本体形成用キャビティに対して全体として斜めにずれて位置する形成されていること。
（３−５）  前記底部形成空間は、前記本体側壁部形成空間よりも外に張り出す張出部形成空間を備えていること。
（３−６）  前記張出部形成空間のエッジの内の前記蓋体側壁部形成空間に最も近いエッジと、該エッジに最も近い前記蓋体側壁部形成空間の開口側エッジとを連結するヒンジ形成用キャビティを備えていること。
（３−７）  前記ヒンジ形成用キャビティと接する前記張出部形成空間のエッジ上面及び前記蓋体側壁部形成空間のエッジ内面が、それぞれ断面三角形状に面取りされていること。
（３−８）  前記面取り部分は、９０度に対して補角的関係を有すること。
【００１４】
さらに以下の構成をも備える様にするとよい。
（３−９）  前記ヒンジ形成用キャビティは、前記底部形成空間および前記蓋体側壁部形成空間の面取り部分を、それぞれの面取り面側から半ばの位置で連結する薄肉帯状空間として形成されていること。
（３−１０）  前記底部形成空間の底面の延長線と前記蓋体側壁部形成空間の外面の延長線とが、前記ヒンジ形成用キャビティの表面で交差する様に構成されていること。
【００１５】
なお、さらに以下の構成をも備える様にすることもできる。
（３−１１）  前記ヒンジ形成用キャビティから最も離れた位置の本体側壁部形成空間に、蓋体側壁部形成空間によって形成される蓋体側壁部の内面に係合する本体側係合部を形成するための本体側係合部形成空間を備えていること。
（３−１２）  前記ヒンジ形成用キャビティから最も離れた位置の蓋体側壁部形成空間に、前記本体側壁部形成空間に形成された本体側係合部と係合する蓋体側係合部を形成するための蓋体側係合部形成空間を備えていること。
【００１６】
（３−１１）及び（３−１２）をも備える射出成型用金型によれば、以下の構成をも有するプラスチック製収納ケースを製造することができる。
（１−８）  前記ヒンジから最も離れた側の本体側壁部の外面に、前記蓋体側壁部に内面側から係合する係合部が形成されていること。
【００１７】
この様にすることで、係合部も外へ飛び出すことがなく、より一層コンパクトな収納ケースを提供することができる。
【００１８】
なお、この係合部を、数を複数とし、ケース本体を係合部側を正面に見たときの両サイドに離れて位置する様に構成すると共に、ケース蓋体の係合部間に指掛け部を形成しておけば、開閉に便利である。このとき、指掛け部は、ケース蓋体の側壁部を下端から所定範囲に渡って窪ませて形成する様に構成するとよい。そして、ケース本体の張出部を、この係合部を形成した側にもケース蓋体の外面位置まで張り出させておけば、ケース開くときにはこの係合部側の張出部に指を掛けることで、容易に開くことができ、かつ、外へのはみ出しをほぼ完全になくしたケースとすることができる。
【発明の効果】
【００１９】
以上説明した様に、本発明によれば、蓋を閉じたときにヒンジが外へ飛び出さない様なコンパクトな収納ケースを提供することができる。
【発明を実施するための最良の形態】
【００２０】
以下、本発明の実施の形態について、図面を参照しつつ説明する。実施の形態のプラスチック製収納ケース１は、図１に示す様に、物品を収納するケース本体３と、このケース本体３を閉塞するケース蓋体５と、ケース本体３にケース蓋体５を回転自在に接続する薄肉帯状のヒンジ７とを一体に射出成形したものである。また、ケース本体３は、図２，図３に示す様に、底部１１と、底部１１から上方に伸びる本体側壁部１３とを備えた上端に開口を有するものとして構成されている。さらに、ケース蓋体５は、図２，図３に示す様に、ケース本体３の本体側壁部１３に対して外嵌する蓋体側壁部２１と、蓋体側壁部２１の下端（蓋閉じ時の上端）を塞ぐ天板部２３とを備えた上端（蓋閉じ時には下端）に開口を有するものとして構成されている。そして、底部１１が本体側壁部１３よりも外に張り出す張出部１５を備え、ヒンジ７がこの張出部１５のエッジと蓋体側壁部２１のエッジとを連結する様に形成されている。また、ヒンジ７と接する張出部１５のエッジ上面及び蓋体側壁部２１のエッジ内面が、それぞれ断面三角形状に面取りされている。この面取り角度は、いずれも４５度となっており、９０度に対して補角的関係を有している。
【００２１】
また、実施の形態のプラスチック製収納ケース１においては、ヒンジ７は、張出部１５および蓋体側壁部２１の面取り部分を、蓋閉じ時の内面側からそれぞれの半ばの位置で連結する薄肉（本実施の形態では肉厚０．２ｍｍ）の帯状に形成されている。加えて、底部１１の底面の延長線と蓋体側壁部２１の外面の延長線とが、ヒンジ７の表面で交差する様に構成されている。なお、張出部１５は、底部１１の四方へ、蓋体側壁部２１の肉厚とほぼ同じ量だけ張り出している。
【００２２】
また、ヒンジ７から最も離れた側の本体側壁部１３の外面に、蓋体側壁部２１に内面側から弾性的な曲げ変形によって係合する本体側係合部１７が形成されている。この本体側係合部１７は、ケース本体３を本体側係合部１７側を正面に見たときの両サイドに離れて位置する様に２個設けられている。そして、蓋体側壁部２１の内面には、これら２個の本体側係合部１７と係合する蓋体側係合部２５が形成されている。さらに、蓋体側壁部２１の外面には、蓋体側係合部２５の間の位置に、下端から所定範囲に渡って窪ませた指掛け部２７が形成されている。蓋を閉じた状態からケースを開くときには、この指掛け部２７若しくは、指掛け部２７の窪みに露出する張出部１５の一方又は両方に指を掛ければよい。
【００２３】
このプラスチック製収納ケース１によれば、上述の通りの構成を有するので、ケース蓋体５を閉じたとき、張出部１５のエッジと蓋体側壁部２１のエッジの面取り部分同士が重なってケース本体３の底部１１とケース蓋体５の側壁部２１とが９０度をなす。そして、ヒンジ７は、張出部１５のエッジと蓋体側壁部２１のエッジとを蓋閉じ時の内面側から連結する様に薄肉帯状に形成されているので、蓋閉じ時には、図３（Ｂ）に示す様に、ヒンジ７が外に大きく飛び出すということがない。また、ヒンジ７は、蓋閉じ時の内面側で面取り部分の半ばの位置から連結する様に構成されているので、蓋閉じ時に曲げにより圧縮変形されたヒンジ７の肉が逃げる空間が形成されることから、ヒンジの飛び出しをほぼ完全に防止することができる。さらに、本実施の形態では、ヒンジ７を断面台形状にしたので、射出成形時の成形性や脱型性等に有利である。
【００２４】
この様な優れた作用効果を発揮するプラスチック製収納ケース１の製造には、図４に示した射出成形金型３１を用いる。この射出成形金型３１は、底部形成空間４２と、底部形成空間４２から垂直に伸びる本体側壁部形成空間４４とを有する本体形成用キャビティ４１を備えている。また、射出成形金型３１は、天板部形成空間５２と、天板部形成空間５２から垂直に伸びる蓋体側壁部形成空間５４とを有する蓋体形成用キャビティ５１を備えている。ここで、蓋体側壁部形成空間５４は、本体側壁部形成空間４４に対して外嵌する側壁部を成形する様に構成されている。また、蓋体形成用キャビティ５１は、天板部形成空間５４が本体側壁部形成空間４４よりも外となり、かつ、蓋体側壁部形成空間５４の開口側エッジが底部形成空間４２よりもさらに底側となる様に、本体形成用キャビティ４１に対して全体として斜めにずれて位置する様に形成されている。
【００２５】
さらに、底部形成空間４２は、本体側壁部形成空間４４よりも外に向かって四方に張り出す張出部形成空間４６を備えている。そして、射出成形金型３１は、張出部形成空間４６のエッジの内の蓋体側壁部形成空間５４に最も近いエッジと、このエッジに最も近い蓋体側壁部形成空間５４の開口側エッジとを連結するヒンジ形成用キャビティ６１を備えている。このヒンジ形成用キャビティ６１と接する張出部形成空間４６のエッジ上面及び蓋体側壁部形成空間５４のエッジ内面は、それぞれ断面三角形状に面取りされている。この面取り部分は、９０度に対して補角的関係を有する様に、それぞれ４５度の傾斜面を形成する様になっている。
【００２６】
この射出成形金型３１においては、さらに、ヒンジ形成用キャビティ６１が、底部形成空間４２および蓋体側壁部形成空間５４の面取り部分を、それぞれの面取り面側から半ばの位置で連結する薄肉帯状空間として形成されている。また、底部形成空間４２の底面の延長線と蓋体側壁部形成空間５４の外面の延長線とが、ヒンジ形成用キャビティ６１の表面で交差する様に構成されている。
【００２７】
加えて、ヒンジ形成用キャビティ６１から最も離れた位置の本体側壁部形成空間４４に、蓋体側壁部形成空間５４によって形成される蓋体側壁部の内面に係合する本体側係合部を形成するための本体側係合部形成空間４８が備えられている。これに対応して、ヒンジ形成用キャビティ６１から最も離れた位置の蓋体側壁部形成空間５４に、本体側壁部形成空間４４によって形成される本体側係合部と係合する蓋体側係合部を形成するための蓋体側係合部形成空間５６が備えられている。
【００２８】
この射出成形金型３１によれば、蓋閉じ時にヒンジが大きく飛び出すことのないコンパクトな収納ケース１を製造することができる。
【００２９】
以上、本発明の一実施の形態について説明したが、本発明は上述した実施の形態に限られることなく、その要旨を逸脱しない範囲内において、さらに種々の態様にて実施することができる。
【００３０】
例えば、ヒンジを形成するための面取り部分は４５度に限らず、図５に示す様に、６０度と３０度の傾斜面を構成する様にしてもよいし、ケースも正方形に限らず、図６に示した様な長方形のケースとしてもよいし、さらに、図７に示した様なケースの内部に物品を保持したり支持したりするための構造を有するものとしてもよい。
【図面の簡単な説明】
【００３１】
【図１】実施の形態のプラスチック製収納ケースを示し、（Ａ）は平面図、（Ｂ）は正面図、（Ｃ）は底面図、（Ｄ）は左側面図、（Ｅ）は右側面図である。
【図２】実施の形態のプラスチック製収納ケースの蓋開き状態を示し、（Ａ）は断面図、（Ｂ）は要部拡大図である。
【図３】実施の形態のプラスチック製収納ケースの蓋閉じ状態を示し、（Ａ）は断面図、（Ｂ）は要部拡大図である。
【図４】実施の形態のプラスチック製収納ケースの製造に適する射出成形金型の断面図である。
【図５】変形例として面取り角度を変えたプラスチック製収納ケースの要部拡大断面図である。
【図６】変形例として形状を変えたプラスチック製収納ケースの六面図（背面図省略）である。
【図７】ケース本体内に物品を保持したり支持したりするための構造を備えた変形例のプラスチック製収納ケースの六面図（背面図省略）である。
【図８】従来技術としてのプラスチック製収納ケースを示し、（Ａ）は蓋開き状態の要部断面図、（Ｂ）は蓋閉じ状態の要部断面図である。
【図９】従来技術としてのプラスチック製収納ケース製造用の射出成形金型の断面図である。
【符号の説明】
【００３２】
１・・・プラスチック製収納ケース
３・・・ケース本体
５・・・ケース蓋体
７・・・ヒンジ
１１・・・底部
１３・・・本体側壁部
１５・・・張出部
１７・・・本体側係合部
２１・・・蓋体側壁部
２３・・・天板部
２５・・・蓋体側係合部
２７・・・指掛け部
３１・・・射出成形金型
４１・・・本体形成用キャビティ
４２・・・底部形成空間
４４・・・本体側壁部形成空間
４６・・・張出部形成空間
４８・・・本体側係合部形成空間
５１・・・蓋体形成用キャビティ
５２・・・天板部形成空間
５４・・・蓋体側壁部形成空間
５６・・・蓋体側係合部形成空間
６１・・・ヒンジ形成用キャビティ
【図１】
2005239197.tif 000003
【図２】
2005239197.tif 000004
【図３】
2005239197.tif 000005
【図４】
2005239197.tif 000006
【図５】
2005239197.tif 000007
【図６】
2005239197.tif 000008
【図７】
2005239197.tif 000009
【図８】
2005239197.tif 000010
【図９】
2005239197.tif 000011